(57)【要約】【構成】チューナモジュール１２は、フラッシュメモリ２６に記憶された番組予約情報に従う放送番組を受信する。チューナモジュール１２の受信状態は、ＣＰＵ２４によって検出される。この検出結果は、放送番組の受信が正常に開始されたか否か、または放送番組の受信が正常に終了したか否かを示す。かかる検出結果と予約態様とが記述されたメールは、通信デバイス３２を利用して携帯通信端末に通知される。この通知に対する指示が記述されたメールが携帯通信端末から送信されると、このメールは通信デバイス３２によって受け付けられる。この指示に従う処理は、ＣＰＵ２４によって実行される。【効果】予約番組の受信状態を携帯通信端末に通知し、携帯通信端末から指示を受け付けることで、予約番組に向けた操作性が向上する。【選択図】図２
2007208645.tif 000002
【特許請求の範囲】
【請求項１】
番組予約情報に従う放送番組を受信する受信手段、
前記受信手段の受信状態を検出する検出手段、
前記検出手段の検出結果を含む通知を指定通信端末に送信する送信手段、
前記指定通信端末から指示を受け付ける受付手段、および
前記受付手段によって受け付けられた指示に従う処理を実行する処理手段を備える、受信機。
【請求項２】
前記検出手段は前記放送番組の受信が正常に開始されたか否かを判別する第１判別手段を含む、請求項１記載の受信機。
【請求項３】
前記検出手段は前記放送番組の受信が正常に終了されたか否かを判別する第２判別手段をさらに含む、請求項２記載の受信機。
【請求項４】
前記受付手段によって受け付けられる指示は電源オフ指示を含む、請求項１ないし３のいずれかに記載の受信機。
【請求項５】
前記受付手段によって受け付けられる指示は予約変更指示を含む、請求項１ないし４のいずれかに記載の受信機。
【請求項６】
前記受付手段によって受け付けられる指示は予約中止指示を含む、請求項１ないし５のいずれかに記載の受信機。
【請求項７】
前記番組予約情報は予約態様情報を含み、
前記送信手段によって送信される通知は前記予約態様情報をさらに含む、請求項１ないし６のいずれかに記載の受信機。
【請求項８】
番組予約情報に従う放送番組を受信する受信手段を備える受信機のプロセサに、
前記受信手段の受信状態を検出する検出ステップ、
前記検出ステップの検出結果を含む通知を指定通信端末に送信する送信ステップ、
前記指定通信端末から指示を受け付ける受付ステップ、および
前記受付手段によって受け付けられた指示に従う処理を実行する処理ステップを実行させるための、受信制御プログラム。
【請求項９】
番組予約情報に従う放送番組を受信する受信手段を備える受信機の受信制御方法であって、
(a) 前記受信手段の受信状態を検出し、
(b) 前記ステップ(a)の検出結果を含む通知を指定通信端末に送信し、
(c) 前記指定通信端末から指示を受け付け、そして
(d) 前記ステップ(c)によって受け付けられた指示に従う処理を実行する、受信制御方法。
【発明の詳細な説明】
【技術分野】
【０００１】
この発明は、受信機に関し、特にたとえばテレビジョン放送番組を受信する、受信機に関する。
【背景技術】
【０００２】
従来のこの種の受信機の一例が、特許文献１に開示されている。この従来技術によれば、据置型のＴＶ放送受信機内に蓄積された視聴番組履歴情報が、ユーザの携帯端末に転送される。ユーザは、転送された視聴番組履歴情報に基づいて、所望の番組の放送チャネル，放送開始時刻および放送終了時刻を据置型のＴＶ放送受信機に登録する。これによって、所望の番組の予約が実現される。
【特許文献１】特開２００１−１０３４０６号公報［H04N 5/76, G11B 15/02, H04Q 7/38, H04M 11/00, H04N 5/00］
【発明の開示】
【発明が解決しようとする課題】
【０００３】
しかし、従来技術では、据置型のＴＶ放送受信機によって予約された放送番組に対する操作を携帯端末から行うことはできず、操作性に問題がある。
【０００４】
それゆえに、この発明の主たる目的は、予約された放送番組に対する操作性を向上させることができる、受信機を提供することである。
【課題を解決するための手段】
【０００５】
請求項１の発明に従う受信機(200)は、番組予約情報に従う放送番組を受信する受信手段(12)、受信手段の受信状態を検出する検出手段(S3, S17)、検出手段の検出結果を含む通知を指定通信端末に送信する送信手段(32, S5, S7, S11, S19, S21, S25)、指定通信端末から指示を受け付ける受付手段(32, S31)、および受付手段によって受け付けられた指示に従う処理を実行する処理手段(S41, S43, S45, S47)を備える。
【０００６】
受信手段は、番組予約情報に従う放送番組を受信する。受信手段の受信状態は、検出手段によって検出される。検出手段の検出結果を含む通知は、通信手段によって指定通信端末に送信される。受付手段が指定通信端末から指示を受け付けると、この指示に従う処理が処理手段によって実行される。このように、予約番組の受信状態を指定通信端末に通知し、指定通信端末から指示を受け付けることで、予約番組に向けた操作性が向上する。
【０００７】
請求項２の発明に従う受信機は、請求項１に従属し、検出手段は放送番組の受信が正常に開始されたか否かを判別する第１判別手段(S3)を含む。ユーザは、視聴予約に関連して肯定的な判別結果を通知されたとき、予約番組の無駄な受信処理を中止することができる。また、録画予約に関連して否定的な判別結果を通知されたとき、予約番組の開始時刻の変更や予約番組の放送中止が発生したと判断し、これに迅速に対応することができる。
【０００８】
請求項３の発明に従う受信機は、請求項２に従属し、検出手段は放送番組の受信が正常に終了されたか否かを判別する第２判別手段(S15)をさらに含む。ユーザは、録画予約に関して否定的な判別結果を通知されたとき、予約番組の放送延長が発生したと判断し、これに迅速に対応することができる。
【０００９】
請求項４の発明に従う受信機は、請求項１ないし３のいずれかに従属し、受付手段によって受け付けられる指示は電源オフ指示を含む。
【００１０】
請求項５の発明に従う受信機は、請求項１ないし４のいずれかに従属し、受付手段によって受け付けられる指示は予約変更指示を含む。
【００１１】
請求項６の発明に従う受信機は、請求項１ないし５のいずれかに従属し、受付手段によって受け付けられる指示は予約中止指示を含む。
【００１２】
請求項７の発明に従う受信機は、請求項１ないし６のいずれかに従属し、番組予約情報は予約態様情報を含み、送信手段によって送信される通知は予約態様情報をさらに含む。これによって、ユーザは、的確な指示を発行することができる。
【００１３】
請求項８の発明に従う受信制御プログラムは、番組予約情報に従う放送番組を受信する受信手段(12)を備える受信機(200)のプロセサ(24)に、受信手段の受信状態を検出する検出ステップ(S3, S17)、検出ステップの検出結果を含む通知を指定通信端末に送信する送信ステップ(32, S5, S7, S11, S19, S21, S25)、指定通信端末から指示を受け付ける受付ステップ(32, S31)、および受付手段によって受け付けられた指示に従う処理を実行する処理ステップ(S41, S43, S45, S47)を実行させるための、受信制御プログラムである。
【００１４】
請求項９の発明に従う受信制御方法は、番組予約情報に従う放送番組を受信する受信手段(42)を備える受信機(200)の受信制御方法であって、(a)受信手段の受信状態を検出し、(b)ステップ(a)の検出結果を含む通知を指定通信端末に送信し、(c)指定通信端末から指示を受け付け、そして(d)ステップ(c)によって受け付けられた指示に従う処理を実行する、受信制御方法である。
【発明の効果】
【００１５】
この発明によれば、予約番組の受信状態を指定通信端末に通知し、指定通信端末から指示を受け付けるようにしたため、予約番組に向けた操作性が向上する。
【００１６】
この発明の上述の目的，その他の目的，特徴および利点は、図面を参照して行う以下の実施例の詳細な説明から一層明らかとなろう。
【発明を実施するための最良の形態】
【００１７】
図１を参照して、この実施例の通信システム１００は、据置型のテレビジョン受像機２００、および携帯通信端末３００を含む。テレビジョン受像機２００および携帯通信端末３００は、公衆インターネット網４００に接続されたサーバ４００を通じてメールによって通信することができる。なお、テレビジョン受像機２００および携帯通信端末３００は、同じユーザによって所有される。
【００１８】
テレビジョン受像機２００は、図２に示すように構成される。入力デバイス３０によって電源投入操作が行われると、チューナモジュール１２は、アンテナ１０によって捉えられた地上波ディジタル放送の高周波信号を復調し、所望のサービス（チャネル）のＭＰＥＧ−ＴＳを出力する。ＴＳデコーダ１４は、チューナモジュール１２から与えられたＭＰＥＧ−ＴＳをビデオＰＥＳおよびオーディオＰＥＳに分離する。分離されたビデオＰＥＳおよびオーディオＰＥＳはそれぞれ、ビデオデコーダ１６およびオーディオデコーダ２０に与えられる。
【００１９】
ビデオデコーダ１６は、ビデオＰＥＳをデコードし、これによって得られた映像データを表示デバイス１８に与える。オーディオデコーダ２０も同様にオーディオＰＥＳをデコードし、これによって得られたオーディオデータをスピーカ２２に与える。この結果、所望のサービスで提供されるテレビジョン放送番組（以下、単に「放送番組」という）の映像および音声が、表示デバイス１８およびスピーカ２２からそれぞれ出力される。
【００２０】
ユーザが入力デバイス３０を通してサービス切換操作を行うと、サービスの指定が切り換えられる。つまり、受信される放送番組が更新される。また、ユーザが入力デバイス３０を通して番組予約操作を行うと、所望の放送番組のサービスＩＤ，放送開始時刻，放送終了時刻，予約態様（視聴予約または録画予約）などを含む番組予約情報がＲＡＭ２８に記憶される。これによって、所望の放送番組の視聴予約手続または録画予約手続が完了する。
【００２１】
こうして予約された放送番組の開始時刻になると、ＣＰＵ２４は、サービスＩＤに従うチューニングをチューナモジュール１２に命令する。また、予約態様が“視聴予約”であれば、ＣＰＵ２４は、ビデオデコーダ１６，表示デバイス１８，オーディオデコーダ２０およびスピーカ２２を起動する。一方、予約態様が“録画予約”であれば、ＣＰＵ２４は、記録デバイス３４を起動する。この結果、“視聴予約”を実行するときは、予約された放送番組が表示デバイス１８およびスピーカ２２から出力される。また、“録画予約”を実行するときは、予約された放送番組のＭＰＥＧ−ＴＳが、記録デバイス３４によって記録される。
【００２２】
通信デバイス３４は、公衆インターネット網５００を利用してメールによる通信を行うためのデバイスである。携帯通信端末３００を宛先とするメールは、サーバ４００を介して携帯通信端末３００に転送される。また、携帯通信端末３００からテレビビジョン受像機２００に宛てられたメールは、サーバ４００を介してテレビジョン受像機２００に転送される。ただし、入力デバイス３０の操作によってメール通知設定がオフされていれば、テレビジョン受像機２００から携帯通信端末３００へメールが送信されることはない。
【００２３】
なお、フラッシュメモリ２６は、ＣＰＵ２４によって実行される制御プログラム、および携帯通信端末３００のメールアドレスを記憶する。
【００２４】
図３を参照して、携帯通信端末３００は、地上波ディジタル放送によって提供される放送番組を受信する放送番組受信回路４２と、移動通信システムを用いて移動通信を行う移動通信回路６０とを含む。
【００２５】
操作パネル７４の操作によって番組視聴モードが選択されると、ＣＰＵ７６は、所望のサービルの選局をチューナモジュール４４に命令する。チューナモジュール４４は、アンテナ４０によって捉えられた地上波ディジタル放送の高周波信号を復調し、所望のサービスのＭＰＥＧ−ＴＳを出力する。ＴＳデコーダ４６は、チューナモジュール４４から与えられたＭＰＥＧ−ＴＳをビデオＰＥＳおよびオーディオＰＥＳに分離する。分離されたオーディオＰＥＳおよびビデオＰＥＳはそれぞれ、オーディオデコーダ４８およびビデオデコーダ５２に与えられる。
【００２６】
オーディオデコーダ４８オーディオＰＥＳをデコードし、これによって得られたオーディオデータをスピーカ５０に与える。ビデオデコーダ５２は、ビデオＰＥＳをデコードし、これによって得られた映像データを表示デバイス５４に与える。この結果、所望のサービスで提供される放送番組の映像および音声が、表示デバイス５４およびスピーカ５０からそれぞれ出力される。
【００２７】
操作パネル７４によって通話のための発呼操作が行われると、ＣＰＵ７６は、信号処理回路６４，無線回路６２およびアンテナ５８を通して発呼信号を相手方の携帯通信端末（図示せず）に送信する。これに対して、相手方が着呼操作を行うと、通話可能状態となる。
【００２８】
通話可能状態となった後にマイクロフォン７０に音声信号が入力されると、この音声信号は、ＡＤ／ＤＡ変換回路６６によってディジタル信号である音声データに変換される。変換された音声データは、信号処理回路６４によって符号化処理を施され、さらに無線回路６２によって変調処理を施される。無線回路６２によって生成された変調音声データは、アンテナ５８から発信される。
【００２９】
一方、相手方から送られてきた変調音声データは、アンテナ５８によって受信され、無線回路６２によって復調処理を施されるとともに、信号処理６４によって復号処理を施される。信号処理回路６４によって復号された音声データは、ＡＤ／ＤＡ変換回路６６によってアナログ信号である音声信号に変換され、変換された音声信号は、スピーカ６８から出力される。
【００３０】
このようにして相手方との間で通話が行われている最中に、操作パネル７４によって通話終了操作が行われると、ＣＰＵ７６は、信号処理回路６４および無線回路６２を制御して、相手方に通話終了信号を送信する。通話終了信号の送信後、ＣＰＵ７６は、通話処理を終了する。先に相手方から通話終了信号を受信した場合も、ＣＰＵ７６は、通話処理を終了する。
【００３１】
サーバ４００からメールが送信されると、このメールは、アンテナ５８，無線回路６２および信号処理回路６４を介してＣＰＵ７６に入力される。ＣＰＵ７６は、受信したメールをフラッシュメモリ７２に保存し、保存されたメールに記述されたメッセージをＲＡＭ７８に描画し、そしてこのメッセージを示すキャラクタデータの出力をキャラクタジェネレータ５６に命令する。キャラクタデータは、キャラクタジェネレータ５６によって表示デバイス５４に与えられる。この結果、メッセージが表示デバイス５４を通してユーザに伝えられる。
【００３２】
また、ＣＰＵ７６によってメールが作成されると、このメールは、信号処理回路６４，無線回路６２およびアンテナ５８を通して発信される。メールの宛先がテレビジョン受像機２００であれば、このメールはサーバ４００を介してテレビジョン受像機２００に転送される。
【００３３】
テレビジョン受像機２００と携帯通信端末３００との間では、図４または図５に示す要領でメールがやり取りされる。
【００３４】
図４を参照して、予約放送番組の開始時刻が到来すると、予約放送番組の受信処理が正常に開示されたか否かが判別される。受信処理が正常に開始されたときは、“視聴予約”または“録画予約”と“開始ＯＫ”とを記述したメールが、携帯通信端末３００に向けて送信される。一方、受信処理が正常に開始されなかったときは、“視聴予約”または“録画予約”と“開始ＮＧ”とを記述したメールが、携帯通信端末３００に向けて送信される。
【００３５】
携帯通信端末３００は、受信したメッセージに記述されたメッセージを表示デバイス５４から出力する。出力されたメッセージに対する指示操作を携帯通信端末３００のユーザから受け付けると、この指示が記述されたメールがテレビジョン受像機２００に向けて送信される。テレビジョン受像機２００では、このメールに記述された指示に従う処理が実行される。
【００３６】
メールの記述が“予約中止指示”であれば、予約中止処理が実行される。予約態様が“視聴予約”のときは、ビデオデコーダ１６，表示デバイス１８，オーディオデコーダ２０およびスピーカ２２がオフされ、予約態様が“録画予約”のときは、記録デバイス３４がオフされる。
【００３７】
メールの記述が“電源オフ指示”であれば、電源オフ処理が実行される。テレビジョン受像機２００はスタンバイ状態に移行する。メールの記述が“別番組予約指示”であれば、別番組予約処理が実行される。このとき、別の放送番組に向けた番組予約情報がＲＡＭ２８に記憶される。メールの記述がその他の指示であれば、その他の処理が実行される。
【００３８】
図５を参照して、予約放送番組の終了時刻が到来すると、予約放送番組の受信処理が正常に終了されたか否かが判別される。受信処理が正常に終了されたときは、“視聴予約”または“録画予約”と“終了ＯＫ”とを記述したメールが、携帯通信端末３００に向けて送信される。一方、受信処理が正常に終了されなかったときは、“視聴予約”または“録画予約”と“終了ＮＧ”とを記述したメールが、携帯通信端末３００に向けて送信される。
メールに記述されたメッセージは、携帯通信端末３００の表示デバイス５４から出力される。出力されたメッセージに対する指示操作を携帯通信端末３００のユーザから受け付けると、この指示が記述されたメールがテレビジョン受像機２００に向けて送信される。テレビジョン受像機２００では、このメールに記述された指示に従う処理が、上述と同じ要領で実行される。
【００３９】
テレビジョン受像機２００に設けられたＣＰＵ２４は、図６〜図７に示す予約実行状態通知タスク、および図８に示す指示受付タスクを含む複数のタスクを並列的に実行する。
【００４０】
まず図６〜図７を参照して、ステップＳ１では予約放送番組の開始時刻が到来したか否かを判別し、ＹＥＳであれば予約放送番組の受信処理が正常に開始されたか否かをステップＳ３で判別する。予約放送番組の受信処理が正常に開始されれば、ステップＳ５で“開始ＯＫ”をＲＡＭ２８内のレジスタ２８ｒに設定する。予約放送番組の受信処理が正常に開始されなければ、ステップＳ７で“開始ＮＧ”をレジスタ２８ｒに設定する。
【００４１】
ステップＳ９では、メール通知設定がオン状態であるか否かを判別し、ＮＯであればそのままステップＳ１３に進む一方、ＹＥＳであればステップＳ１１の処理を経てステップＳ１３に進む。ステップＳ１３では、レジスタ２８ｒの設定（開始ＯＫまたは開始ＮＧ）と注目する予約放送番組の予約態様とが記述されたメールを携帯通信端末３００宛てに送信する。ステップＳ１３ではレジスタ２８ｒの設定が“開始ＯＫ”であるか否かを判別し、ＹＥＳであればステップＳ１５に進む一方、ＮＯであればステップＳ１に戻る。
【００４２】
ステップＳ１５では予約放送番組の終了時刻が到来したか否かを判別し、ＹＥＳであれば予約放送番組の受信処理が正常に終了したか否かをステップＳ１７で判別する。予約放送番組の受信処理が正常に終了すれば、ステップＳ１９で“終了ＯＫ”をＲＡＭ２８内のレジスタ２８ｒに設定する。予約放送番組の受信処理が正常に終了すれば、ステップＳ２１で“終了ＮＧ”をレジスタ２８ｒに設定する。
【００４３】
ステップＳ２３では、メール通知設定がオン状態であるか否かを判別し、ＮＯであればそのままステップＳ１に戻る一方、ＹＥＳであればステップＳ２５の処理を経てステップＳ１に戻る。ステップＳ２５では、レジスタ２８ｒの設定（終了ＯＫまたは終了ＮＧ）と注目する予約放送番組の予約態様とが記述されたメールを携帯通信端末３００宛てに送信する。
【００４４】
図８を参照して、ステップＳ３１では携帯通信端末３００からメールが通知されたか否かを判別する。ここでＹＥＳであれば、通知されたメールの内容をステップＳ３３で解析し、ステップＳ３５，Ｓ３７，Ｓ３９およびＳ４１で解析結果を判別する。
【００４５】
解析結果が“予約中止指示”を示していればステップＳ３５でＹＥＳと判断し、ステップＳ４１で予約中止処理を実行する。解析結果が“電源オフ指示”を示していればステップＳ３７でＹＥＳと判断し、ステップＳ４３で電源オフ処理を実行する。解析結果が“別番組予約指示”を示していればステップＳ３９でＹＥＳと判断し、ステップＳ４５で別番組予約処理を実行する。解析結果がその他の指示を示していればステップＳ３９でＮＯと判断し、ステップＳ４７でその他の処理を実行する。ステップＳ４１，Ｓ４３，Ｓ４５またはＳ４７の処理が完了すると、ステップＳ３１に戻る。
【００４６】
携帯通信端末３００に設けられたＣＰＵ７６は、図９に示す通知検出タスクおよび図１０に示す指示発行タスクを含む複数のタスクを並列的に実行する。
【００４７】
図９を参照して、ステップＳ５１ではテレビジョン受像機２００からメールが通知されたか否かを判別する。ここでＹＥＳであれば、通知されたメールの内容をステップＳ５３で解析し、解析結果つまりメッセージをステップＳ５５で表示デバイス５４に表示する。この結果、“開始ＯＫ”，“開始ＮＧ”，“終了ＯＫ”または“終了ＮＧ”のメッセージと、“視聴予約”または“録画予約”のメッセージとが画面にＧＵＩ態様で表示される。ステップＳ５５の処理が完了すると、ステップＳ５１に戻る。
【００４８】
図１０を参照して、ステップＳ６１では、ステップＳ５５の処理に関連してユーザ操作が行われた否かを判別する。ユーザ操作では、上述した“予約中止指示”，“電源オフ指示”，“別番組予約指示”，またはその他の指示が入力される。ステップＳ６３では、指示内容が記述されたメールをテレビジョン受像機２００に向けて送信し、その後にステップＳ６１に戻る。
【００４９】
以上の説明から分かるように、チューナモジュール１２は、フラッシュメモリ２６に記憶された番組予約情報に従う放送番組を受信する。チューナモジュール１２の受信状態は、ＣＰＵ２４によって検出される(S3, S17)。この検出結果は、放送番組の受信が正常に開始されたか否か、または放送番組の受信が正常に終了したか否かを示す。かかる検出結果と予約態様とが記述されたメールは、通信デバイス３２を利用して携帯通信端末３００に通知される(S11, S25)。この通知に対する指示が記述されたメールは、通信デバイス３２によって受け付けられる(S31)。この指示に従う処理は、ＣＰＵ２４によって実行される(S41, S43, S45, S47)。このように、予約番組の受信状態を携帯通信端末３００に通知し、携帯通信端末３００から指示を受け付けることで、予約番組に向けた操作性が向上する。
【００５０】
具体的には、受信メールが予約態様に関して“視聴予約”を示し、放送番組に関して“開始ＯＫ”を示すとき、外出先でメールを受信したユーザは、予約中止指示の発行操作によって予約番組の無駄な受信処理を中止することができる。
【００５１】
また、受信メールが予約態様に関して“録画予約”を示し、放送番組に関して“開始ＮＧ”を示すとき、外出先のユーザは、別番組予約指示によって予約番組の開始時刻の変更に迅速に対応でき、予約中止指示の発行によって予約番組の放送中止に迅速に対応できる。
【００５２】
さらに、受信したメールが予約態様に関して“録画予約”を示し、放送番組に関して“終了ＮＧ”を示すとき、外出先のユーザは、別番組予約指示の発行によって予約番組の放送延長に迅速に対応することができる。
【００５３】
なお、この実施例では、テレビジョン放送を想定しているが、この発明はラジオ放送の受信機にも適用できることは言うまでもない。
【図面の簡単な説明】
【００５４】
【図１】この発明の一実施例の構成を示すブロック図である。
【図２】図１実施例に適用されるテレビジョン受像機の構成の一例を示すブロック図である。
【図３】図１実施例に適用される携帯通信端末の構成の一例を示すブロック図である。
【図４】図１実施例の動作の一部を示す図解図である。
【図５】図１実施例の動作の他の一部を示す図解図である。
【図６】図２実施例のＣＰＵによって実行される処理の一部を示すフロー図である。
【図７】図２実施例のＣＰＵによって実行される処理の他の一部を示すフロー図である。
【図８】図２実施例のＣＰＵによって実行される処理のその他の一部を示すフロー図である。
【図９】図３実施例のＣＰＵによって実行される処理の一部を示すフロー図である。
【図１０】図３実施例のＣＰＵによって実行される処理の他の一部を示すフロー図である。
【符号の説明】
【００５５】
１００  …通信システム
２００  …テレビジョン受像機
３００  …携帯通信端末
１２，４４  …チューナモジュール
１４，４６  …ＴＳデコーダ
１６，５２  …ビデオデコーダ
２４，７６  …ＣＰＵ
３２  …通信デバイス
６２  …無線回路
６４  …信号処理回路
【図１】
2007208645.tif 000003
【図２】
2007208645.tif 000004
【図３】
2007208645.tif 000005
【図４】
2007208645.tif 000006
【図５】
2007208645.tif 000007
【図６】
2007208645.tif 000008
【図７】
2007208645.tif 000009
【図８】
2007208645.tif 000010
【図９】
2007208645.tif 000011
【図１０】
2007208645.tif 000012